(57)【要約】【課題】目の涙点に取り付けするようにした、目元飾り部材を提供する。【解決手段】涙点プラグ２と、涙点プラグ２の後端側に設けられた、飾り部材３とを備える。【選択図】図１
2008163504.tif 000002
【特許請求の範囲】
【請求項１】
涙点プラグと、
前記涙点プラグの後端側に設けられた、飾り部材とを備える、目元飾り部材。
【請求項２】
前記涙点プラグが、後端部側に開口部を有する、孔部を有し、
前記涙点プラグの孔部内に、前記飾り部材の一端が、脱着可能に取り付けられている、請求項１に記載の目元飾り部材。
【請求項３】
前記涙点プラグの後端部に設けられている孔部に挿入する挿入部材を更に備え、前記涙点プラグが、後端部側に開口部を有する孔部を有し、
前記挿入部材は、その後端部に開口部を有する孔部を有し、且つ、
前記飾り部材の一端が、前記挿入部材の孔部の後端側の開口部の周辺に取り付けられている、請求項１に記載の目元飾り部材。
【請求項４】
前記挿入部材が、前記涙点プラグの孔部に、脱着可能に取り付けられている、請求項３に記載の目元飾り部材。
【発明の詳細な説明】
【技術分野】
【０００１】
本発明は、目元飾り部材に関し、特に、目の涙点に取り付けするようにした、目元飾り部材に関する。
【背景技術】
【０００２】
従来、目元に陰影をつけるための化粧品としては、アイシャドーが用いられ、まつげを濃く長くみせるための化粧品としては、マスカラが用いられている。
【０００３】
また、従来、化粧・仮装などのために使うものとしては、つけまつげ等が用いられている。
【０００４】
一方、目の表面が乾燥することにより、目が疲れる、目が重い、目がごろごろする、充血する、角膜や結膜に傷がつくなどの症状をきたす、ドライアイには、涙点プラグが使用されている。
【０００５】
涙点プラグは、例えば、シリコンで製されている。
【０００６】
図６は、従来の涙点プラグの構造を概略的に示す斜視図である。
【０００７】
涙点プラグ１０２は、略円錐形形状の先端部１０２ａと、先端部１０２ａに連続するように設けられた円柱形状の本体部１０２ｂと、本体部１０２ｂの後端部ｅ１０２ｂに設けられた鍔体部１０２ｃとを備える。
【０００８】
この涙点プラグ１０２は、後端部側に開口部１０２ｄを有する、孔部ｈ１０２を有している。
【０００９】
涙点プラグ１０２のサイズは、種々のサイズのものがある。
【００１０】
例えば、涙点プラグ１０２のサイズとしては、シャフト径×長さが、０．４ｍｍ×１．２ｍｍ、０．５ｍｍ×１．３ｍｍ、０．６ｍｍ×１．３ｍｍ、０．７ｍｍ×１．６ｍｍ、０．８ｍｍ×１．８ｍｍ、０．９ｍｍ×１．９ｍｍ、１．０ｍｍ×１．９ｍｍ、１．１ｍｍ×２．０ｍｍ等の種々のサイズのものがある。
【００１１】
図７は、目の涙の道筋を摸式的に説明する図である。
【００１２】
図７中、ｓｐで示す部分（器官）は、上涙点を示しており、また、ｉｐで示す部分（器官）は、下涙点を示している。
【００１３】
上涙点ｓｐは、上涙乳頭ｓｌｐ内に位置し、また、下涙点ｉｐは、下涙乳頭ｉｌｐ内に位置している。
【００１４】
また、図７中、ｏｐｌｇで示す部分（器官）は、涙腺眼窩部を、ｐｐｌｇで示す部分（器官）は、涙腺眼瞼部を、ｅｄｌｇで示す部分（器官）は、涙腺排出管を、ｌｃで示す部分（器官）は、涙小管を、ｌｓで示す部分（器官）は、涙嚢を、ｎｄで示す部分（器官）は、鼻涙管を、また、ｏｎｄで示す部分は、鼻涙管開口部を示している。
【００１５】
涙は、涙腺排出管ｅｄｌｇから分泌され、まばたきにより目ｅの表面に運ばれ、涙点（上涙点ｓｐ及び／又は下涙点ｉｐ）から涙小管ｌｃ、涙嚢ｌｓ、鼻涙管ｎｄを通って、鼻涙管開口部ｏｎｄから鼻腔（図示せず。）へ排出されている。
【００１６】
図８は、図６に示す、従来の涙点プラグ１０２の使用法の一例を説明する説明図である。
【００１７】
涙点プラグ１０２は、涙点プラグ装着具１１１の先端に取り付けられている。
【００１８】
この涙点プラグ装着具１１１は、軸体１１２と、軸体１１２の途中部分に設けられた、操作部１１３と、操作部１１３の後端部にその一端が接続され、軸体１１２の内部を挿通するようにして、軸体１１２の先端部ｅ１１２から所定の長さ突出するように設けられたワイヤー手段１１４とを備える。
【００１９】
軸体１１２の先端部ｅ１１２から所定の長さ突出するように設けられたワイヤー手段１１４の先端部分には、涙点プラグ１０２が接続されている。
【００２０】
より詳しく説明すると、涙点プラグ１０２は、その孔部（図６に示す孔部ｈ１０２）内に、ワイヤー手段１１４の先端部分が挿入されることで、ワイヤー手段１１４の先端部分に接続されている。
【００２１】
操作部１１３は、軸体１１２の途中部分に設けられた、操作部収容部１１５内に設けられている。
【００２２】
操作部１１３は、図８に示すように、側面視した場合、ヘの字形状の板バネ構造になっており、通常の状態では、折れ曲がった状態になっている。
【００２３】
操作部収容部１１５は、通常の状態では、折れ曲がった状態になっている操作部１１３を操作者（通常は、眼科医）が押し操作し、操作部１１３を平らな形状にした際の長さに等しいかそれよりやや長い長さにされている。
【００２４】
そして、涙点プラグ装着具１１１の操作者（通常は、眼科医）が、操作部１１３を操作者（通常は、眼科医）が押し操作し、操作部１１３を平らな形状にすると、軸体１１２の先端部ｅ１１２から所定の長さ突出しているワイヤー手段１１４の一部１１４ｐが、軸体１１２内に収容されることで、軸体１１２の先端部ｅ１１２から所定の長さ突出しているワイヤー手段１１４の一部１１４ｐに嵌合されている涙点プラグ１０２が、ワイヤー手段１１４から外れるようになっている。
【００２５】
ドライアイの患者に、涙点プラグ１０２を装着する際には、眼科医が、手指にて涙点プラグ装着具１１１を操作して、涙点（上涙点ｓｐ又は下涙点ｉｐ）内に、涙点プラグ１０２を押し込み、その後、涙点プラグ装着具１１１の操作部１１３を押し操作し、ワイヤー手段１１４から涙点プラグ１０２を外すことにより、ドライアイの患者の涙点（上涙点ｓｐ又は下涙点ｉｐ）内に、涙点プラグ１０２を装着している。
【００２６】
ドライアイの患者は、涙点（上涙点ｓｐ又は下涙点ｉｐ）内に、涙点プラグ１０２が装着されることで、自分の涙の多くの量がより長く目の表面にとどまるので、ドライアイの症状が軽減される。
【００２７】
尚、涙点プラグ１０２を装着しているドライアイの患者は、涙点（上涙点ｓｐ又は下涙点ｉｐ）に装着されている涙点プラグ１０２を外す際には、眼科医がそのような処置をしている。
【特許文献１】特開２００４−３５１０６０号公報
【特許文献２】特開２００５−１１０７６５号公報
【非特許文献１】「Ｓｕｐｅｒ  Ｆｌｅｘ」の商品カタログ（株式会社ホワイトメディカル、インターネットホームページ（http:www.whitemedical.co.jp）
【発明の開示】
【発明が解決しようとする課題】
【００２８】
ところで、アイシャドーやマスカラ等の化粧品は、皮膚に直接つけるものであるため、人によっては、皮膚が荒れるといった、問題がある。
【００２９】
また、アイシャドーやマスカラ等の化粧品や、つけまつげ等は、これらは、長年に亘って使用されてきたという実績があるものであるが、その一方、おしゃれとしての斬新性が既に失われている。
【００３０】
一方、涙点プラグは、本発明者の知る限り、ドライアイの治療具であって、涙点プラグを目元飾り部材に使用することは、知られていない。
【００３１】
本発明者は、涙点プラグが目元飾り部材に使用できるのではないか？、と思い立ち、且つ、目の涙の状態は、上涙点及び下涙点の中の１つの涙点を塞いでも、上涙点及び下涙点の双方を塞いでいない場合と、何ら変わることがないことを実験により知見し、その後、鋭意努力・研究した結果、本発明を完成するに至った。
【００３２】
即ち、本発明は、アイシャドーやマスカラ等の化粧品や、つけまつげ等は、これらは、長年に亘って使用されてきたという実績があるものであるが、その一方、おしゃれとしての斬新性が既に失われているという問題を解決するためになされたものであって、新規な目元飾り部材を提供することを目的としている。
【課題を解決するための手段】
【００３３】
請求項１に記載の目元飾り部材は、涙点プラグと、涙点プラグの後端側に設けられた、飾り部材とを備える。
【００３４】
請求項２に記載の目元飾り部材は、請求項１に記載の目元飾り部材の、涙点プラグが、後端部側に開口部を有する、孔部を有し、涙点プラグの孔部内に、飾り部材の一端が、脱着可能に取り付けられている。
【００３５】
請求項３に記載の目元飾り部材は、請求項１に記載の目元飾り部材が、涙点プラグの後端部に設けられている孔部に挿入する挿入部材を更に備え、涙点プラグが、後端部側に開口部を有する孔部を有し、挿入部材は、その後端部に開口部を有する孔部を有し、且つ、飾り部材の一端が、挿入部材の孔部の後端側の開口部の周辺に取り付けられている。
【００３６】
請求項４に記載の目元飾り部材は、請求項３に記載の目元飾り部材の、挿入部材が、涙点プラグの孔部に、脱着可能に取り付けられている。
【発明の効果】
【００３７】
請求項１に記載の目元飾り部材は、涙点プラグを、涙点に装着することで、飾り部材を目の周辺に飾ることができる。
【００３８】
この目元飾り部材は、涙点プラグを、涙点に装着することで、飾り部材を目の周辺に飾るという、従来の皮膚に塗布する化粧品（例えば、アイシャドーや、マスカラ）や、つけまつげとは異なる構成を採用しているので、斬新性がある。
【００３９】
また、この目元飾り部材は、飾り部材が、皮膚の表面から離れているので、化粧品（例えば、アイシャドーや、マスカラ）を皮膚に塗布した場合に、皮膚が荒れることを気にする者にとっても使用が可能である、という効果がある。
【００４０】
請求項２に記載の目元飾り部材では、涙点プラグの孔部内に、飾り部材の一端を、脱着可能に取り付ける構成を採用しているので、飾り部材を取り付けない状態では、通常のドライアイ用の涙点プラグとして使用でき、また、飾り部材を取り付けた状態では、目飾りとして使用できる、という効果がある。
【００４１】
請求項３に記載の目元飾り部材では、涙点プラグの後端部に設けられている孔部に挿入する挿入部材を更に設け、挿入部材の後端部に開口部を有する孔部を設け、且つ、飾り部材の一端が、挿入部材の孔部の後端側の開口部の周辺に取り付ける、という構成を採用したので、涙点プラグに飾り部材が取り付けられた状態で、挿入部材の後端部に開口部を有する孔部内に、涙点プラグ装着具の軸体の先端部から所定の長さ突出するように設けられたワイヤー手段の先端部分を挿入すれば、涙点プラグに飾り部材が取り付けられた状態で、涙点プラグ装着具を用い、涙点に、涙点プラグを装着できる。
【００４２】
請求項４に記載の目元飾り部材は、挿入部材を、涙点プラグの孔部に、脱着可能に取り付ける構成を採用しているので、飾り部材を取り付けない状態では、通常のドライアイ用の涙点プラグとして使用でき、また、飾り部材を取り付けた状態では、目飾りとして使用できる、という効果がある。
【発明を実施するための最良の形態】
【００４３】
以下、本発明に係る目元飾り部材を、図面を参照しながら、例示的に、更に、詳しく説明する。
（実施例１）
図１は、本発明に係る目元飾り部材の一例を概略的に示す摸式図である。
【００４４】
この目元飾り部材１は、涙点プラグ２と、涙点プラグ２の後端側に設けられた、飾り部材３とを備える。
【００４５】
涙点プラグ２は、例えば、シリコンで製されている。
【００４６】
涙点プラグ２のサイズとしては、種々のサイズのものが使用できる。
【００４７】
例えば、特に以下の場合に限定されることは無いが、涙点プラグ２としては、従来の涙点プラグ１０２と同様のサイズのものを用いることができ、涙点プラグ２としては、シャフト径×長さが、０．４ｍｍ×１．２ｍｍ、０．５ｍｍ×１．３ｍｍ、０．６ｍｍ×１．３ｍｍ、０．７ｍｍ×１．６ｍｍ、０．８ｍｍ×１．８ｍｍ、０．９ｍｍ×１．９ｍｍ、１．０ｍｍ×１．９ｍｍ、１．１ｍｍ×２．０ｍｍ等のものを用いることができる。
【００４８】
図２は、図１に示す目元飾り部材１の構成を更に詳しく説明するために構成部材を分解して概略的に示す分解構成図である。
【００４９】
涙点プラグ２は、略円錐形形状の先端部２ａと、先端部２ａに連続するように設けられた円柱形状の本体部２ｂと、本体部２ｂの後端部に設けられた鍔体部２ｃとを備える。
【００５０】
この涙点プラグ２は、後端部側に開口部２ｄを有する、孔部ｈ２を有している。
【００５１】
以上の構成は、図６に示す涙点プラグ２の構成と同様である。
【００５２】
この涙点プラグ２は、涙点プラグの孔部ｈ２内に、飾り部材３の一端が、脱着可能に取り付けられている。
【００５３】
より詳しく説明すると、この涙点プラグ２は、涙点プラグ２の後端部ｅ２ｂに設けられている孔部ｈ２に挿入する挿入部材４を更に備え、挿入部材４の後端部には、飾り部材３が接続されている。
【００５４】
挿入部材４は、例えば、シリコーン樹脂、フッ素樹脂その他の樹脂で製される。
【００５５】
且つ、挿入部材４は、涙点プラグ２に設けられている孔部ｈ２内に嵌合する形状になっている。
【００５６】
より具体的に説明すると、この涙点プラグ２は、その孔部ｈ２の形状が、概ね円柱形形状にされており、所定の間隔を隔てるようにして、概ね円柱形形状の孔部の直径より外方向に広がる節形状部ｈ２ａ・・・を有する。
【００５７】
挿入部材４は、涙点プラグ２に設けられている孔部ｈ２の内表面の形状と同じ又は概ね同じ形状の外表面を有している。
【００５８】
即ち、挿入部材４の形状は、概ね円柱形形状にされており、所定の間隔を隔てるようにして、概ね円柱形形状の直径より外方向に広がる節形状部４ａ・・・を有している。
【００５９】
また、概ね円柱形形状にされている挿入部材４の直径は、涙点プラグ２に設けられている概ね円柱形形状の孔部ｈ２の直径に等しいかこれよりも少し小さい直径にされており、涙点プラグ２に設けられている概ね円柱形形状の孔部ｈ２に設けられている節形状部ｈ２ａ・・・に対応する箇所には、この節形状部ｈ２・・・の形状と同じ形状又は概ね同じ形状で且つ節形状部ｈ２・・・の大きさと同じ大きさかこれよりやや小さい大きさの節形状部４ａ・・・が、外方向に突出するように設けられている。
【００６０】
この涙点プラグ２では、涙点プラグ２の後端部に設けられている孔部ｈ２内に挿入部材４を押し込むと、涙点プラグ２に設けられている孔部ｈ２に対し挿入部材４が復元可能な程度に若干変形し、涙点プラグ２の孔部ｈ２に設けられている節形状部ｈ２ａ・・・の各々と、挿入部材４に設けられている節形状部４ａ・・・の各々とが整列する位置で嵌合するようになっている。
【００６１】
また、挿入部材４が涙点プラグ２に接続されている状態になっている場合には、涙点プラグ２から挿入部材４を引き抜くようにすれば、嵌合状態になっている、涙点プラグ２に設けられている孔部ｈ２と、挿入部材４との嵌合状態が解除されて、涙点プラグ２から挿入部材４が取り外せるようになっている。
【００６２】
図３は、おしゃれを楽しむ者が、目元飾り部材１を装着した状態を摸式的に示す図である。
【００６３】
この目元飾り部材１は、涙点プラグ２を、涙点（図７に示す上涙点ｓｐ又は下涙点ｉｐを参照。）に装着することで、飾り部材３を目ｅの周辺に飾ることができる。
【００６４】
この例では、飾り部材３として、鳥の羽をデザインしたものを例示的に用いているが、これは、単なる例示であって、飾り部材３は、鳥の羽をデザインしたものに限定されることは無い。
【００６５】
また、飾り部材３は、目元飾り部材１の涙点プラグ２を涙点（図７に示す上涙点ｓｐ又は下涙点ｉｐを参照。）に装着後、目ｅの視野を妨害しないように設けるか、目ｅの視野を妨害しないように、目ｅの視野部分を切り欠いた形状にすることが好ましい。
【００６６】
また、涙点（図７に示す上涙点ｓｐ又は下涙点ｉｐを参照。）への負担を軽減するために、飾り部材３の重量は、軽量（例えば、特に以下の場合には限定されることはないが、０．１ｇ以上３ｇ以下）であることが好ましい。
【００６７】
また、涙点（図７に示す上涙点ｓｐ又は下涙点ｉｐを参照。）への負担を軽減するために、飾り部材３の形状は、涙点プラグから飾り部材３の端部までの長さが、ひとのまゆげ程度の長さ（例えば、特に以下の場合には限定されることはないが、３ｃｍ以上６ｃｍ以下）であることが好ましい。
【００６８】
また、この例では、目元飾り部材１の涙点プラグ２を、上涙点ｓｐに装着した例を示しているが、目元飾り部材１の涙点プラグ２は、下涙点ｉｐに装着するようにしてもよい。
【００６９】
この目元飾り部材１は、涙点プラグ２を、涙点（図７に示す上涙点ｓｐ又は下涙点ｉｐを参照。）に装着することで、飾り部材３を目ｅの周辺に飾るという、従来の皮膚に塗布する化粧品（例えば、アイシャドーや、マスカラ）や、つけまつげとは異なる構成を採用しているので、斬新性がある。
【００７０】
また、この目元飾り部材１は、飾り部材３が、皮膚の表面から離れているので、化粧品（例えば、アイシャドーや、マスカラ）を皮膚に塗布した場合に、皮膚が荒れることを気にする者にとっても使用が可能である、という効果がある。
【００７１】
また、この目元飾り部材１では、涙点プラグ２の孔部ｈ２内に、飾り部材３の一端を、脱着可能に取り付ける構成を採用しているので、飾り部材３を取り付けない状態では、通常のドライアイ用の涙点プラグとして使用でき、また、飾り部材３を取り付けた状態では、目飾りとして使用できる、という効果がある。
（実施例２）
図４は、本発明に係る目元飾り部材の他の一例の構成を詳しく説明するために構成部材を分解して概略的に示す分解構成図である。
【００７２】
この目元飾り部材１Ａは、以下の構成以外は、目元飾り部材１と同様の構成を備えるので、目元飾り部材１Ａを構成する部材中、目元飾り部材１を構成する部材に相当する部材については、目元飾り部材１を構成する部材に付した参照符号を付して、その説明を省略する。
【００７３】
この目元飾り部材１Ａは、挿入部材４Ａの後端部ｅ４Ａが、鍔状にされており、その後端部ｅ４Ａに、開口部ｈ４Ａｄを有する孔部ｈ４Ａを有し、且つ、飾り部材３の一端が、挿入部材４Ａの孔部ｈ４Ａの後端部ｅ４Ａ側の開口部ｈ４Ａｄの周辺（挿入部材４の後端部ｅ４Ａであって、その後端部ｅ４Ａの孔部ｈ４Ａの開口部ｈ４Ａｄを塞がない場所）に取り付けられている。
【００７４】
図５は、目元飾り部材１Ａの使用法の一例を説明する説明図である。
【００７５】
この目元飾り部材１Ａは、従来の涙点プラグ１０２と同様の方法で、涙点（図７に示す上涙点ｓｐ又は下涙点ｉｐを参照）に取り付けることができる。
【００７６】
目元飾り部材１Ａは、目元飾り部材装着具１１の先端に取り付けられている。
【００７７】
この目元飾り部材装着具１１の構成は、図８に示す涙点プラグ装着具１１の構成と同様である。
【００７８】
即ち、目元飾り部材装着具１１は、軸体１２と、軸体１２の途中部分に設けられた、操作部１３と、操作部１３の後端部にその一端が接続され、軸体１２の内部を挿通するようにして、軸体１２の先端部ｅ１２から所定の長さ突出するように設けられたワイヤー手段１４とを備える。
【００７９】
軸体１２の先端部ｅ１２から所定の長さ突出するように設けられたワイヤー手段１４の先端部分には、目元飾り部材１Ａの涙点プラグ２の孔部ｈ２内に取り付けられた挿入部材４が接続されている。
【００８０】
より詳しく説明すると、涙点プラグ２は、その孔部ｈ２内に、挿入部材４が嵌め合わされ、挿入部材４Ａに設けられた孔部ｈ４Ａ内にワイヤー手段１４の先端部分が挿入されることで、ワイヤー手段１４の先端部分に接続されている。
【００８１】
操作部１３は、軸体１２の途中部分に設けられた、操作部収容部１５内に設けられている。
【００８２】
操作部１３は、図５に示すように、側面視した場合、ヘの字形状の板バネ構造になっており、通常の状態では、折れ曲がった状態になっている。
【００８３】
操作部収容部１５は、通常の状態では、折れ曲がった状態になっている操作部１３を操作者（通常は、眼科医）が押し操作し、操作部１３を平らな形状にした際の長さに等しいかそれよりやや長い長さにされている。
【００８４】
そして、涙点プラグ装着具１１の操作者（通常は、眼科医）が、操作部１３を操作者（通常は、眼科医）が押し操作し、操作部１３を平らな形状にすると、軸体１２の先端部ｅ１２から所定の長さ突出しているワイヤー手段１４の一部１４ｐが、軸体１２内に収容されることで、軸体１２の先端部ｅ１２から所定の長さ突出しているワイヤー手段１４の一部１４ｐに嵌合されている挿入部材４Ａが、ワイヤー手段１４から外れるようになっている。
【００８５】
おしゃれを楽しみたい者に、目元飾り部材１Ａを装着する際には、眼科医が、手指にて目元飾り部材装着具１１を操作して、涙点（図７に示す上涙点ｓｐ又は下涙点ｉｐを参照。）内に、目元飾り部材１Ａを構成する涙点プラグ２を押し込み、その後、目元飾り部材装着具１１の操作部１３を押し操作し、ワイヤー手段１４から挿入部材４Ａを外すことにより、おしゃれを楽しみたい者の涙点（図７に示す上涙点ｓｐ又は下涙点ｉｐを参照。）内に、目元飾り部材１Ａを構成する涙点プラグ２を装着することで、おしゃれを楽しみたい者の目の周辺を飾り部材３で飾ることができる。
【００８６】
この目元飾り部材１Ａは、涙点プラグ２を、涙点（図７に示す上涙点ｓｐ又は下涙点ｉｐを参照。）に装着することで、飾り部材３を目の周辺に飾るという、従来の皮膚に塗布する化粧品（例えば、アイシャドーや、マスカラ）や、つけまつげとは異なる構成を採用しているので、斬新性がある。
【００８７】
また、この目元飾り部材１Ａは、飾り部材３が、皮膚の表面から離れているので、化粧品（例えば、アイシャドーや、マスカラ）を皮膚に塗布した場合に、皮膚が荒れることを気にする者にとっても使用が可能である、という効果がある。
【００８８】
また、この目元飾り部材１Ａでは、涙点プラグ２の孔部ｈ２内に、飾り部材３の一端を取り付けた挿入部材４を脱着可能に取り付ける構成を採用しているので、飾り部材３を取り付けない状態では、通常のドライアイ用の涙点プラグとして使用でき、また、飾り部材３を取り付けた状態では、目元飾り部材として使用できる、という効果がある。
【００８９】
のみならず、この目元飾り部材１Ａは、おしゃれを楽しみたい者が、ドライアイの患者が、従来の涙点プラグ１０２を装着する方法と同様の方法及び涙点プラグ装着具を使用して、目元を飾ることができる、という効果がある。
【００９０】
また、目元飾り部材１、１Ａでは、涙点プラグ２への挿入部材４、４Ａの接続を嵌合手段により達成しているので、接着剤を用いる場合に比べ、涙点プラグ２への挿入部材４、４Ａの接続に化学物質を用いていない分、安全性に優れている。
【００９１】
但し、目元飾り部材１、１Ａにおいて、涙点プラグ２への挿入部材４、４Ａの接続を嵌合手段により達成しているのは、単に、本発明の目元飾り部材を説明するために用いたのであって、他の手段（接着剤による接着や、熱融着などの手段によって、涙点プラグ２と挿入部材４、４Ａとの接続を行ってもよく、涙点プラグ２と挿入部材４、４Ａとの接続は、脱着可能なものに限られず、固定的なものであってもよい。
【００９２】
また、目元飾り部材１、１Ａを装着している者が、涙点（図７に示す上涙点ｓｐ又は下涙点ｉｐを参照。）に装着されている目元飾り部材１、１Ａを外す際には、涙点プラグを装着しているドライアイの患者が、涙点プラグを外す際に、眼科医がそのような処置をしている方法と同様の方法で、眼科医によって、涙点（図７に示す上涙点ｓｐ又は下涙点ｉｐを参照。）に装着されている目元飾り部材１、１Ａを涙点（図７に示す上涙点ｓｐ又は下涙点ｉｐを参照。）から取り外せばよい。
【００９３】
尚、上記発明を実施するための最良の形態で説明した、目元飾り部材１、１Ａは、単に、本発明に係る目元飾り部材を説明するために用いたに過ぎず、本発明に係る目元飾り部材の飾り部材は、鳥の羽のデザインに限られず、あらゆるデザインが飾り部材なり得ることは、言うまでもない。
【００９４】
また、上記発明を実施するための最良の形態で説明した、目元飾り部材１、１Ａの涙点プラグ２は、本発明に係る目元飾り部材を説明するために用いたに過ぎず、本発明に係る目元飾り部材の涙点プラグは、涙点に装着できるものであれば、あらゆる形状の涙点プラグの使用が可能であることは、言うまでもない。
【００９５】
また、上記発明を実施するための最良の形態で説明した目元飾り部材装着具は、本発明に係る目元飾り部材の使用方法の一例を例示的に示したに過ぎず、目元飾り部材装着具は、涙点プラグを涙点に装着する際に用いる涙点プラグ装着具であれば、いずれも使用可能である。
【産業上の利用可能性】
【００９６】
本発明に係る目元飾り部材は、目の涙点に取り付ける、という新規な構成を有するものであるので、おしゃれを楽しみたい者にとって、斬新な目元飾り部材を提供できるので、産業上の利用可能性が高い。
【図面の簡単な説明】
【００９７】
【図１】本発明に係る目元飾り部材の一例を概略的に示す摸式図である。
【図２】図１に示す目元飾り部材の構成を更に詳しく説明するために構成部材を分解して概略的に示す分解構成図である。
【図３】おしゃれを楽しむ者が、本発明に係る目元飾り部材を装着した状態を摸式的に示す図である。
【図４】本発明に係る目元飾り部材の他の一例の構成を詳しく説明するために構成部材を分解して概略的に示す分解構成図である。
【図５】図４に示す目元飾り部材の使用法の一例を説明する説明図である。
【図６】従来の涙点プラグの構造を概略的に示す斜視図である。
【図７】目の涙の道筋を摸式的に説明する図である。
【図８】図６に示す、従来の涙点プラグの使用法の一例を説明する説明図である。
【符号の説明】
【００９８】
１、１Ａ  目元飾り部材
２  涙点プラグ
３  飾り部材
４、４Ａ  挿入部材
ｈ２  孔部
【図１】
2008163504.tif 000003
【図２】
2008163504.tif 000004
【図３】
2008163504.tif 000005
【図４】
2008163504.tif 000006
【図５】
2008163504.tif 000007
【図６】
2008163504.tif 000008
【図７】
2008163504.tif 000009
【図８】
2008163504.tif 000010